(57)【要約】      （修正有）【課題】小型円形ハンガーの提供。【解決手段】ハンガー１のバックルの構造が縮小されており、吊り下げ式ランプパネルを使用して簡単に組み立てたり分解したりでき、上部ハウジング１０、底部カバー１１、フック１２、バックル１３、リリースボタン１５、ロックで構成されている。【選択図】図３
0003225152.tif 000002
【実用新案登録請求の範囲】
【請求項１】
小型円形ハンガーであり、上部ハウジング、底部カバー、フック、バックル、リリースボタン、ロックバックルで構成され、
前記上部ハウジングは、底部の中心に軸方向に面するバッフルプレートが設けられ、前記バッフルプレート下端の隣に溝が形成され、前記上部ハウジングの周囲には、２つの貫通溝と１つの受容溝があり、そして、内側に２つのロックネジ溝があり、前記上部ハウジングの上面には、２つの穿孔と１つのロックロッド穴が貫通しており、前記貫通溝には、溝口の近くに段差面が設けられており、内側に空間が設けられ、前記上部ハウジングの内側を貫通する複数の係合穴溝があり、少なくとも２つの前記係合穴溝が下向きに貫通しており、
前記底部カバーは表面に２つの対称的な穿孔を備え、外縁は前述の貫通溝に対応する２つのフランジと、前述の受容溝に対応する１つの凹部を有し、前記底部カバー表面には、前述の係合穴溝に対応する複数の係止穴が設けられており、前記底部カバーは閉じられて、前記上部ハウジングの上面に配置されるため、前記底部カバーの外縁のフランジに前記貫通溝で対応して覆われ、前記底部カバーの外縁の凹部は、それに応じて前記受容溝で覆われ、
前記フックの数は２つで、前記フックは平板、垂直板、フック板で構成され、前記平板は前記ロックネジ溝に置かれ、ネジ込み部材が前記ロックネジ溝にネジ込まれ、前記平板にネジ込まれて固定され、前記垂直板と前記フック板が上方に貫通して対応する穿孔を貫通し、
前記バックルの数は２つで、接続アームが前記バックルの側面に内向きに延長され、前記接続アームの前端は内側に回転して押しブロックを形成し、前記押しブロックの高さは前記接続アームよりも高くなっており、前記バックルの内側にはガイド溝があり、内縁の底面の両側にストッパーが突出しており、前記バックルの外側には、少なくとも１つのクランプ面とガイド斜面があり、組み立てるとき、前記バックルは対応する貫通溝に配置され、前記バックルの接続アームは溝にまたがるので、前記接続アームによって接続された前記押しブロックは前記ストッパーの後ろに位置し、前記バックルのガイド溝と隣接する前記ストッパーの間に弾性部材を掛け、前記弾性部材が対応するバックルのクランプ面とガイド斜面を外側に押して、前記貫通溝の外側に留まり、同時に前記バックルの内縁底面のストッパーは、前記貫通溝の段差面に突き当たり、
前記リリースボタンは、外側に押圧面を有し、内側に斜面を有しており、前記リリースボタンは、前記上部ハウジングの受容溝の外側に配置され、前記押圧面が受容溝の外側に留まり、
前記ロックバックルは、前記リリースボタンの斜面に対応する斜面と、上方に突出するロックレバーとを備え、弾性部材を受容するため、底面は内側に深入りする受容溝を有し、前記ロックバックルは、上部ハウジングの受容溝内側の位置に配置されるため、斜面は前記リリースボタンの斜面に対応し、前記ロックレバーは上部ハウジングのロックレバー穴と位置合わせされ、上部ハウジングと底部カバーが並置されると、前記弾性部材の下端が底部カバーの内壁によって押し上げられ、ロックバックル全体が上方に移動し、前記ロックレバーが上部ハウジングのロックレバー穴を上方に通過し、前記リリースボタンの押圧面を押すと、前記リリースボタンが受容溝に沿って内側に移動し、前記リリースボタンの斜面は前記ロックバックルの斜面を力で押し、前記ロックバックルを駆動して前記弾性部材を圧縮して下降させ、ロックレバーが上ケースのロックレバー穴に引き込まれることを特徴とする、小型円形ハンガー。
【請求項２】
前記上部ハウジングの下端には３つの側面を持つ壁は明らかに高くなっている受容座が設けられており、前記受容座に対応するスロットが前記底部カバー表面に設けられ、前記底部カバーが閉じられて前記上部ハウジングの上面に置かれると、前記底部カバーのスロットは前記受容座に対応して覆われることを特徴とする、請求項１に記載の小型円形ハンガー。
【請求項３】
小型円形ハンガーはさらに電源コードを含み、前記電源コードは２本の電線で構成され、電気コネクタが外端に接続され、前記電源コードは前記スロットと受容座を通過して前記上部ハウジングの内部に入り、前記２本電線の内側の端はそれぞれ前記２つのフックに電気的に接続できることを特徴とする、請求項２に記載の小型円形ハンガー。
【考案の詳細な説明】
【技術分野】
【０００１】
本考案は、ハンガー、特に構造が小さく操作が簡単な小型円形ハンガーに関する。
【背景技術】
【０００２】
「ハンガー」または「トランスファーハンガー」は、高い場所（天井など）の固定位置に設置され、電源に電気的に接続された後、吊り下げられた電化製品と組み合わせて接合され、電気的に接続されて使用されるのである（最も一般的に使用されるのは吊り下げ式ライトディスクである。）。したがって、「ハンガー」または「トランスファーハンガー」には、高い場所の固定位置に設置するためと、電気製品を接続および吊り下げるための２つの組み立て手順がある。本出願人は台湾において、４つの先行技術（実用新案登録番号３１７３８８５「プッシュオントランスファーハンガー」、実用新案登録番号３１７４４４８「ロータリートランスファーハンガー」、実用新案登録番号３１８６８１０「プッシュプレスハンガー」および実用新案登録番号３１９２８６６「ハンガー」が登録されているので、参考されたい。
【０００３】
本考案は、さまざまな構造の簡単なコンポーネントと便利な操作性のニーズのため、長期的な開発と改善に基づいて、ハンガーを提供したいと考えている。
【考案の概要】
【考案が解決しようとする課題】
【０００４】
ゆえに、本考案の主な目的は、ハンガーに、より合理化された構造とより便利な操作を提供することである。
【課題を解決するための手段】
【０００５】
上記の目的を達成するために、本考案では小型円形ハンガーが開発され、上部ハウジング、底部カバー、フック、バックル、リリースボタン、ロックで構成されている。
上部ハウジングは、底部の中心に軸方向に面するバッフルプレートが設けられ、バッフルプレート下端の隣に溝が形成され、上部ハウジングの周囲には、２つの貫通溝と１つの受容溝があり、そして、内側に２つのロックネジ溝があり、上部ハウジングの上面には、２つの穿孔と１つのロックロッド穴が貫通しており、貫通溝には、溝口の近くに段差面が設けられており、内側に空間が設けられている。上部ハウジングの内側を貫通する複数の係合穴溝があり、少なくとも２つの係合穴溝が下向きに貫通している。
底部カバーは表面に２つの対称的な穿孔を備え、外縁は前述の貫通溝に対応する２つのフランジと、前述の受容溝に対応する１つの凹部を有する。底部カバー表面には、前述の係合穴溝に対応する複数の係止穴が設けられている。底部カバーは閉じられて、上部ハウジングの上面に配置されるため、底部カバーの外縁のフランジ貫通溝で対応して覆われ、底部カバーの外縁の凹部は、それに応じて受容溝で覆われている。
フックの数は２つで、フックは平板、垂直板、フック板で構成され、平板はロックネジ溝に置かれ、ネジ込み部材がロックネジ溝にネジ込まれ、平板にネジ込まれて固定され、垂直板とフック板が上方に貫通して対応する穿孔を貫通する。
バックルの数は２つで、接続アームがバックルの側面に内向きに延長され、接続アームの前端は内側に回転して押しブロックを形成し、押しブロックの高さは接続アームよりも高くなっている。バックルの内側にはガイド溝があり、内縁の底面の両側にストッパーが突出している。バックルの外側には、少なくとも１つのクランプ面とガイド斜面があり組み立てるとき、バックルは対応する貫通溝に配置され、バックルの接続アームは溝にまたがるので、接続アームによって接続された押しブロックはストッパーの後ろに位置する。  バックルのガイド溝と隣接するストッパーの間に弾性部材を掛け、弾性部材が対応するバックルのクランプ面とガイド斜面を外側に押して、貫通溝の外側に留まるようにする。同時にバックルの内縁底面のストッパーは、貫通溝の段差面に突き当たる。
リリースボタンは、外側に押圧面を有し、内側に斜面を有しており、リリースボタンは、上部ハウジングの受容溝の外側に配置され、押圧面が受容溝の外側に留まる。
そして、ロックバックルは、リリースボタンの斜面に対応する斜面と、上方に突出するロックレバーとを備え、弾性部材を受容するため、底面は内側に深入りする受容溝を有する。ロックバックルは、上部ハウジングの受容溝の内側の位置に配置されるため、斜面はリリースボタンの斜面に対応し、ロックレバーは上部ハウジングのロックレバー穴と位置合わせされる。上部ハウジングと底部カバーが並置されると、弾性部材の下端が底部カバーの内壁によって押し上げられ、ロックバックル全体が上方に移動し、ロックレバーが上部ハウジングのロックレバー穴を上方に通過する。リリースボタンの押圧面を押すと、リリースボタンが受容溝に沿って内側に移動し、リリースボタンの斜面はロックバックルの斜面を力で押し、ロックバックルを駆動して弾性部材を圧縮して下降させ、ロックレバーが上ケースのロックレバー穴に引き込まれるようにする。
【０００６】
上記の小型円形ハンガーでは、３つの側面を持つ壁は明らかに高くなっている受容座が上部ハウジングの下端に設けられており、受容座に対応するスロットが底部カバー表面に設けられ、底部カバーが閉じられて上部ハウジングの上面に置かれると、底部カバーのスロットは受容座に対応して覆われる。
【０００７】
上記の小型円形ハンガーはさらに電源コードを含み、電源コードは２本の電線で構成され、電気コネクタが外端に接続される。電源コードはスロットと受容座を通過して上部ハウジングの内部に入り、２本電線の内側の端はそれぞれ２つのフックに電気的に接続できる。
【考案の効果】
【０００８】
本考案によって作成された小型円形ハンガーは、主に接続アームを介してバックルの後ろに押しブロックを接続する。したがって、押しブロックを動かすと、バックルを後ろに動かして、ぶら下がっている電化製品とハンガーの係合を容易にすることができる。次に、押しブロックの力が解放されると、バックルは弾性部材の弾性力によってすぐに押し戻される。これまでの多くの従来技術と比較して、本考案の構造は縮小されているが、操作がより便利であり、実用的且つ進歩的である。
【図面の簡単な説明】
【０００９】
【図１】本考案実施形態の斜視図である。
【図２】本考案実施形態の反転後の立体図である。
【図３】本考案実施形態の立体分解図である。
【図４】本考案実施形態の反転後の立体分解図である。
【図５】本考案実施形態の底面図（電源コードは示されていない）である。
【図６】本考案実施形態の図５の線６−６に沿った断面図である（電源コードは示されていない）。
【図７】本考案実施形態の反転状態の部分的に組み合わされた斜視図である（電源コードは示されていない）。
【図８】本考案実施形態の部分的に組み合わされた平面図である（電源コードは示されていない）。
【考案を実施するための形態】
【００１０】
上記の目的、採用された技術手段、および到達可能な機能を達成するために、以下の組み合わせの実行可能な実施例は、添付の図示により、詳細な説明を行い、完全に理解できる。
【００１１】
図１から図４を参照すると、本考案は小型円形ハンガーであり、上部ハウジング１０、底部カバー１１、フック１２、バックル１３、リリースボタン１５、ロック１６及び電源コードで構成されている。
【００１２】
上部ハウジング１０は、底部の中心に軸方向に面するバッフルプレート１０２が設けられ、バッフルプレート１０２下端の隣に溝１０２１（図4に示す）が形成され、上部ハウジング１０の周囲には、２つの貫通溝１０３と１つの受容溝１０４（ノッチは凹面である）があり、そして、内側に２つのロックネジ溝１０５（図４および８に示す）があり、ロックネジ溝１０５は上方に貫通している（図１および図３に示す）。
上部ハウジング１０の上面には、２つの穿孔１０６と１つのロックロッド穴１０７（図３に示す）が貫通しており、貫通溝１０３には、溝口の近くに段差面１０３１が設けられており、内側に空間１０３２が設けられている。受容座１０８が上部ハウジング１０の底縁に設けられており、壁の３つの側面は明らかに下へ向けてわずかに高くなっている（図４に示す）。そして、上部ハウジング１０の内部空間には、複数（例えば４つ）の結合穴溝１０９が貫通されている。上部ハウジング１０の内側を貫通する複数の係合穴溝１０９があり、少なくとも２つの係合穴溝１０９が下向きに貫通している。係合穴溝１０９は、下方向に均等に貫通しており（例えば、２箇所）（図１および図３に示す）、いくつかの点（例えば、２箇所）は下方向に貫通していない。
【００１３】
底部カバー１１には、表面に２つの対称な正方形穿孔１１２が設けられ、外縁は、前述の貫通溝１０３に対応する２つのフランジ１１３、前述の受容溝１０４に対応する凹部１１４、および前述の受容座１０８に対応するスロット１１８を有する。底部カバー１１の外縁付近の表面には、前述の係合穴溝１０９に対応する複数（例えば４つ）の係止穴１１９が形成されている。
【００１４】
フック１２の数は２つであり、各フック１２は、平板１２１と、垂直板１２２と、フック板１２３とから構成されている。平板１２１は、さらに、ネジ穴１２１１と接合点１２１２とを有する。平板１２１は、組み立て時にロックネジ溝１０５に載置され、ネジ穴１２１１がロックネジ溝１０５と位置合わせされる。そして、ネジ止め部材１２４が、上部ケーシング１０の外側からロックネジ溝１０５にネジ止めされ、ネジ穴１２１１で内側にねじ込まれる。このようにして、フック１２は全体としてロックネジ溝１０５と係合し、同時に、垂直板１２２はフック板１２３とともに対応する穿孔１０６（図１に示す）を貫通して延びる。
【００１５】
図３および図４に示すように、バックル１３の数は２つである。バックル１３は、接続アーム１３１を備えた側部から内側に延びている。接続アーム１３１の前端は、内向きになって押しブロック１３２を形成する。押しブロック１３２の高さは、明らかに接続アーム１３１の高さよりも高い（図４に示す）。バックル１３は、内側にガイド溝１３３を有し、内縁の底部の両側からストッパー１３４が突出しており、各バックル１３の外側に２層の上部クランプ面１３７と下部クランプ面１３８が形成されている。底面は、それぞれ上部ガイド斜面１３７１と下部ガイド斜面１３８１に形成されている。組み立てる場合、図７および図８を参照されたい。バックル１３は、対応して貫通溝１０３に配置され、バックル１３の接続アーム１３１は溝１０２１を横切る。次に、接続アーム１３１に接続された押しブロック１３２は、ストッパー１３４の後方（外側）に位置する。次に、バックル１３のガイド溝１３３と隣接するストッパー１３４との間に弾性部材１３５（ストリップスプリングなど）を掛ける。弾性部材１３５の弾性スラスト力により、対応バックル１３の外側部分（すなわち、上部クランプ面１３７および下部クランプ面１３８の部分）は外側に移動し、貫通溝１０３の外側に留まる。このとき、バックル１３内縁の底面ストッパー１３４が貫通溝１０３の段差面１０３１に当接するため、バックル１３の外側部分は貫通溝１０３の外側に留まるが抜け落ちない。バックル１３の外側部分（すなわち、上部クランプ面１３７および下部クランプ面１３８）が貫通溝１０３内側に移動するとき、押しブロック１３２は同時に手動で移動する必要がある。接続アーム１３１によって駆動される対応するバックル１３は、弾性部材１３５を圧縮し、内側に移動する。そして、押しブロック１３２を引く力が解除されると、弾性部材１３５の弾性力により、対応するバックル１３が強制的に固定点まで外側に移動する。
【００１６】
リリースボタン１５は、外側に押圧面１５１を有し、内側に斜面１５２を有する。組み立てるとき、リリースボタン１５は上部ハウジング１０の受容溝１０４の外側に配置され、押圧面１５１は受容溝１０４の外側に留まるが、依然として上部ハウジングの直径範囲の外側にある（図１および２に示す）。
【００１７】
ロックバックル１６は、リリースボタン１５の斜面１５２に対応する斜面１６２と、上方に突出するロックレバー１６３とを有し、底面には内向きに受容溝１６４が設けられている。組み立てる際には、ロック１６を上部ハウジング１０の受容溝１０４の内側に配置し、斜面１６２をリリースボタン１５の斜面１５２を対応させて配置する。そして、ロックレバー１６３を上部ハウジング１０のロックロッド穴１０７と位置合わせし、弾性部材１６１を受容溝１６４に挿入する。底部カバー１１が上部ハウジング１０の底面に平行に配置されると、弾性部材１６１の下端が底部カバー１１の内壁に押されて、ロックレバー１６３の上端が上部ハウジング１０のロックロッド穴１０７から外側に押し出される（図１に示す）。ロックレバー１６３の上端を上部ハウジング１０のロックロッド穴１０７内に下向きに引き込む場合、指またはツールの力で押圧面１５１１を押してリリースボタン１５を受容溝１０４に沿っては内側に移動させる。その過程で、リリースボタン１５の斜面１５２は、ロックバックル１６の斜面１６２を押して、ロックバックル１６を弾性部材１６１を圧縮および下降させ、ロックレバー１６３をロックロッド穴１０７内に下向きに引き込む。そして、押圧面１５１を押す力が解除されると、弾性部材１６１の弾性力により、ロックバックル１６全体が再び上方に移動し、ロックレバー１６３の上端が再び上部ハウジング１０のロックロッド穴１０７から抜け出る。その過程で、斜面１６２が上昇して斜面１５２を押すので、リリースボタン１５全体が押されて受容溝１０４に沿って外側に移動し、図１に示す状態に戻る。
【００１８】
電源コード１７は２本の電線で構成され、電気コネクタ１７１が外端に接続されており、他の電気機器に接続して電力を送るのに便利である。電源コード１７は、スロット１１８および受容座１０８を通過して上部ハウジング１０の内部に入り、２本の電線の内側端部をそれぞれフック１２の接合点１２１２に電気的に接続することができる（電気溶接接続など）。
【００１９】
上記の構造および組み立て関係によれば、組み立てる際には、まず上部ハウジング１０を上下逆にして、次にフック１２（電源コード１７に接続可能）、バックル１３、リリースボタン１５、およびロックバックル１６を上部ハウジング１０内の各所定位置に順番に組み立てる後、図７および図８に示すような状態が形成される（ただし、図５〜図８では電源コード１７は図示されていない）。次に、底部カバー１１を閉じて、上部ハウジング１０の上面に置く。プロセス中、底部カバー１１の外縁の突出縁１１３は、対応する貫通溝１０３に覆われ、凹部１１４は、対応する受容溝１０４に覆われ、同時にスロット１１８は、対応する受容座１０８に覆われている。したがって、電源コード１７は、受容座１０８およびスロット１１８を通過することができ、その結果、電気コネクタ１７１はハンガー１の外側にとどまる。プロセス中同時に、バックル１３の押しブロック１３２は、対応する正方形穿孔１１２をちょうど貫通し、２つのネジ１１５（比較的長い）と２つのネジ１１６（比較的短い）を使用して対応する底部カバー１１を通過する係止穴１１９は、対応する係合穴溝１０９に入り込んで係合動作を行う。そのうち、ネジ１１５は対応するジョイント穴溝１０９を通過した後、ナット１１５１により外部ロックされ、ネジ１１６は対応する係合穴溝１０９と穴溝の内壁に直接ロックされる。この時点で、図１、２、５に示すようにハンガー１の組み立てが完了し、図１、５、６に示すようにハンガー１を元に戻すことができる。フック１２のフック板１２３は上向きであり、バックル１３の押しブロック１３２は下向きである。
【００２０】
ハンガー１は、使用する前に高所の固定位置に設置する必要がある。それは、一体型ハンガー１を保持し、上部ハウジング１０の穿孔１０６から貫通するフック板１２３により、建物の高い場所にある予備電源の取り付け穴にある２つの螺旋溝により対応してねじ込まれる。このようにして、２つのフックプレート１２３と２つの螺旋溝が接続され、電源が導入される。係合の過程において、ロックバックル１６のロックレバー１６３は、圧力のために最初に上部ハウジング１０のロックロッド穴１０７に引き込まれる。そして、２つのフックプレート１２３と２つの螺旋溝とが完全に係合すると、ロックレバー１６３は、取り付け穴の予約された位置決め穴と位置合わせされる。そのため、ロックレバー１６３の上端は位置決め穴に差し込まれて滞留するが、このとき、一体型ハンガー１を取り付け穴から逆回転させると、ロックレバー穴１０７が位置決め穴に当接するため、逆回転動作は阻止される。したがって、ロックレバー穴１０７が位置決め穴に当接した状態は、ハンガー１を取り付け穴から逆回転させることができないという安全機能を有している。取り付け穴からハンガー１を反対方向に回転し離脱させるには、まず押圧面１５１を押してリリースボタン１５を内側に移動させる必要がある。ロックバックル１６を押して弾性部材１６１を圧縮して下降させることにより、ロックレバー１６３は、上部ハウジング１０のロックロッド穴１０７内に引き込まれる。このとき、ハンガー１を取り付け穴からスムーズに逆回転させ、離脱させることができる。
【００２１】
高い場所の固定位置にハンガー１の設置を完了した後、ハンガー１の外側に吊り下げられた電気器具（吊りランプパネルなど）を接合する組み立て作業を実行することができる。通常、吊りランプパネルの中央に取り付け穴が設けられ（つまり、ハンガー１との組み立て用）、したがって、吊りランプパネルをハンガー１の下から上に押し上げることができるため、吊りランプパネルの中央にある取り付け穴の内縁は、２つのバックル１３の下部ガイド斜面１３８１に押し付けられる。このとき、上方向にスラスト力が加えられると、スラスト力の一部が下部ガイド斜面１３８１に作用し、２つのバックル１３が対応する弾性部材１３５を圧縮して内側に移動させる。したがって、吊りランプパネルは、２つのバックル１３の下部ガイド斜面１３８１が徐々に後退することにより上方に移動し、下部ガイド斜面１３８１と下部クランプ面１３８の交差部の外縁を瞬時に通って下部クランプ面１３８の上方に到達する。次に、下部ガイド斜面１３８１は一瞬スラスト力を受けないため、対応する弾性部材１３５の弾性力の影響を受け、各バックル１３は外側に戻される。吊りランプパネルが比較的低い位置で組み立てられるように選択されている場合、予想される組み立て動作はこの時点で完了している（下部クランプ面１３８が比較的低い位置にあるため）。
【００２２】
上部クランプ面１３７で吊りランプパネルを組み立てることを選択することに関しては、吊りランプパネルを上部ガイド斜面１３７１まで押し上げ続ける必要がある。その分力は上部ガイド斜面１３７１に作用し、バックル１３に対応する弾性部材１３１を圧縮させ、再び内側に移動させる。その結果、吊りランプパネルは、上部ガイド斜面１３７１が徐々に後退することにより上方に移動し、上部ガイド斜面１３７１と上部クランプ面１３７との交差部の外縁を瞬時に通過して上部クランプ面１３７に到達する。次に、上部ガイド斜面１３７１は一瞬スラスト力を受けないため、対応する弾性部材１３５の弾性力の影響を受け、バックル１３は再び外方位置に戻る。このようにして、吊りランプパネルはより高い位置（すなわち、上部クランプ面１３７）で組み立てられる。
【００２３】
吊りランプパネルを下部クランプ面１３８に組み立てるか、上部クランプ面１３７に組み立てるかを選択するかどうか、組み立て作業が完了したら、電源コード１７の電気コネクタ１７１を持って、吊りランプパネルの電気接続（通常は電気コネクタ）と接続して電源を入れる動作を完了する。このように建物の高い場所に確保された電力は、ハンガー１のフック板１２３と電源コード１７を介して吊りランプパネルに伝えられる。
【００２４】
前述した本考案の実施形態は本考案を限定するものではなく、よって、本考案により保護される範囲は後述される実用新案登録請求の範囲を基準とする。
【符号の説明】
【００２５】
１      ハンガー
１０    上部ハウジング  
１０２  バッフルプレート  
１０２１溝
１０３  貫通溝    
１０３１段差面
１０３２空間
１０４  受容溝  
１０５  ロックネジ溝
１０６  穿孔
１０７  ロックロッド穴
１０８  受容座  
１０９  係合穴溝
１１    底部カバー
１１２  正方形穿孔  
１１３  フランジ
１１４  凹部
１１５  ネジ
１１５１ナット
１１６  ネジ
１１８  スロット
１１９  係止穴
１２    フック
１２１  平板
１２１１ネジ穴
１２１２接合点
１２２  垂直板      
１２３  フック板
１２４  ネジ部材
１３    バックル
１３１  接続アーム
１３２  押しブロック
１３３  ガイド溝
１３４  ストッパー    
１３５  弾性部材  
１３７  上部クランプ面  
１３７１上部ガイド斜面    
１３８  下部クランプ面    
１３８１下部ガイド斜面  
１５    リリースボタン
１５１  押圧面
１５１１押圧面  
１５２  斜面
１６    ロックバックル
１６１  弾性部材
１６２  斜面
１６３  ロックレバー
１６４  受容溝
１７    電源コード
１７１  電気コネクタ
【図１】
0003225152.tif 000003
【図２】
0003225152.tif 000004
【図３】
0003225152.tif 000005
【図４】
0003225152.tif 000006
【図５】
0003225152.tif 000007
【図６】
0003225152.tif 000008
【図７】
0003225152.tif 000009
【図８】
0003225152.tif 000010